(57)【要約】【課題】店舗に設置されている既存のＰＯＳシステムを利用しつつ、店舗におけるレジ待ち時間を短縮することができる端末装置、会計処理方法および会計処理プログラム、並びに、会計処理システムの提供を図る。【解決手段】商品Ｐ０を選択するとき、第１スキャナ１００，２００により読み取った前記商品に付された第１商品情報コードＣ０に対応した情報を記憶するメモリ(１２)と、前記商品を会計するとき、前記メモリに記憶した前記情報に対応した第２商品情報コードＣＺ(Ｃ０)を表示するディスプレイ(１０)と、を備える、ように構成する。【選択図】図６
2020184141.tif 000002
【特許請求の範囲】
【請求項１】
商品を選択するとき、第１スキャナにより読み取った前記商品に付された第１商品情報コードに対応した情報を記憶するメモリと、
前記商品を会計するとき、前記メモリに記憶した前記情報に対応した第２商品情報コードを表示するディスプレイと、を備える、
ことを特徴とする端末装置。
【請求項２】
前記第１スキャナによる前記商品に付された前記第１商品情報コードの読み取りは、前記商品を購入する顧客により行われ、
前記ディスプレイに表示された前記情報に対応した第２商品情報コードは、ＰＯＳレジのオペレータにより、当該ＰＯＳレジの第２スキャナで読み取られ、前記商品の会計が行われる、
ことを特徴とする請求項１に記載の端末装置。
【請求項３】
さらに、
前記第１スキャナにより前記第１商品情報コードを読み取る商品選択モードと、前記メモリに記憶した前記情報に対応した第２商品情報コードを前記ディスプレイに表示する会計モードを切り替えるスイッチ手段を備える、
ことを特徴とする請求項１または請求項２に記載の端末装置。
【請求項４】
前記第１スキャナは、前記端末装置の外部に設けられたハンディスキャナである、
ことを特徴とする請求項１乃至請求項３のいずれか１項に記載の端末装置。
【請求項５】
前記第１スキャナは、前記端末装置に設けられた内蔵スキャナである、
ことを特徴とする請求項１乃至請求項３のいずれか１項に記載の端末装置。
【請求項６】
前記第１スキャナによる前記第１商品情報コードの読み取りは、複数の商品に対して行われる、
ことを特徴とする請求項１乃至請求項５のいずれか１項に記載の端末装置。
【請求項７】
前記商品を会計するとき、前記メモリに記憶した前記情報に対応した第２商品情報コードは、所定時間ごとに移動または切り替え、もしくは、スクロールして前記ディスプレイに表示される、
ことを特徴とする請求項６に記載の端末装置。
【請求項８】
前記商品を会計するとき、前記メモリに記憶した前記情報に対応した第２商品情報コードは、前記ディスプレイに複数個同時に表示される、
ことを特徴とする請求項６に記載の端末装置。
【請求項９】
前記商品を会計するとき、複数の前記情報に対応した第２商品情報コードは、前記ディスプレイの複数の行に表示される、
ことを特徴とする請求項８に記載の端末装置。
【請求項１０】
前記商品を会計するとき、複数の前記情報に対応した第２商品情報コードは、前記ディスプレイの隣接する行でずらした位置に表示される、
ことを特徴とする請求項９に記載の端末装置。
【請求項１１】
前記商品を会計するとき、複数の前記情報に対応した第２商品情報コードは、前記ディスプレイの複数の行で千鳥状に表示される、
ことを特徴とする請求項１０に記載の端末装置。
【請求項１２】
前記商品を会計するとき、複数の前記情報に対応した第２商品情報コードに対応する商品名は、前記ディスプレイのそれぞれの行の中央に表示される、
ことを特徴とする請求項１１に記載の端末装置。
【請求項１３】
前記メモリには、複数の前記商品に付された第１商品情報コードに対応した情報と共に、それぞれの商品の価格情報が記憶され、
前記商品を会計するとき、前記ディスプレイには、前記メモリに記憶され前記情報に対応した複数の前記情報に対応した第２商品情報コードが、それぞれの商品の価格順に表示される、
ことを特徴とする請求項７乃至請求項１２のいずれか１項に記載の端末装置。
【請求項１４】
前記商品を会計するとき、前記ディスプレイに、前記情報に対応した第２商品情報コードを複数頁にわたって表示する場合、それぞれの頁は、表示色を変化させて前記ディスプレイに表示される、
ことを特徴とする請求項７乃至請求項１３のいずれか１項に記載の端末装置。
【請求項１５】
前記端末装置は、通信可能として接続されたデータベースにおいて、前記第１スキャナにより読み取った前記商品に付された前記第１商品情報コードに対応した情報に関連付けされている関連情報にアクセス可能とされ、
前記商品を選択したとき、前記関連情報が前記ディスプレイに表示される、
ことを特徴とする請求項１乃至請求項１４のいずれか１項に記載の端末装置。
【請求項１６】
前記商品を選択するとき、前記ディスプレイに表示される前記関連情報は、前記商品に関する画像、前記商品に関する動画、前記商品に関するコメントおよび前記商品に関する広告の少なくとも１つを含む、
ことを特徴とする請求項１５に記載の端末装置。
【請求項１７】
前記端末装置は、既存のＰＯＳシステムに適用され、
前記ディスプレイに表示される前記情報に対応した第２商品情報コードは、前記既存のＰＯＳシステムにおける前記ＰＯＳレジの前記第２スキャナにより読み取られ、前記商品の会計が行われる、
ことを特徴とする請求項２乃至請求項１６のいずれか１項に記載の端末装置。
【請求項１８】
前記情報に対応した第２商品情報コードは、前記第１商品情報コードと同じ規格の商品情報コードである、
ことを特徴とする請求項１乃至請求項１７のいずれか１項に記載の端末装置。
【請求項１９】
請求項１乃至請求項１８のいずれか１項に記載の端末装置を複数備え、さらに、
複数の前記端末装置を管理する端末管理サーバを備える会計処理システムであって、
前記端末管理サーバは、それぞれの前記端末装置と無線接続されると共に、ネットワーク上のデータベースにアクセス可能とされている、
ことを特徴とする会計処理システム。
【請求項２０】
前記端末管理サーバは、それぞれの前記商品に付された前記第１商品情報コードに対応した情報に関連付けされている関連情報を蓄積した関連情報蓄積データベースを含む、
ことを特徴とする請求項１９に記載の会計処理システム。
【請求項２１】
前記端末管理サーバは、前記商品に関する情報と共に、一度購入するために選択したが購入を止めたかご落ち商品に関する情報を収集して蓄積する、
ことを特徴とする請求項１９または請求項２０に記載の会計処理システム。
【請求項２２】
商品を選択するとき、前記商品に付された第１商品情報コードを端末装置の第１スキャナにより読み取り、前記第１スキャナにより読み取った前記第１商品情報コードに対応した情報をメモリに記憶し、
前記商品を会計するとき、前記メモリに記憶した前記情報に対応した第２商品情報コードを前記端末装置のディスプレイに表示する、
ことを特徴とする会計処理方法。
【請求項２３】
前記第１スキャナによる前記商品に付された前記第１商品情報コードの読み取りは、前記商品を購入する顧客により行われ、
前記ディスプレイに表示された前記情報に対応した第２商品情報コードは、ＰＯＳレジのオペレータにより、ＰＯＳレジの第２スキャナで読み取られ、前記商品の会計が行われる、
ことを特徴とする請求項２２に記載の会計処理方法。
【請求項２４】
商品に付された第１商品情報コードを読み取る第１スキャナと、前記第１スキャナにより読み取った前記第１商品情報コードに対応した情報を記憶するメモリと、前記メモリに記憶した前記情報に対応した第２商品情報コードを表示するディスプレイと、を備える端末装置の演算処理装置に、
商品を選択するとき、前記商品に付された第１商品情報コードを前記端末装置の第１スキャナにより読み取り、前記第１スキャナにより読み取った前記第１商品情報コードに対応した情報をメモリに記憶し、
前記商品を会計するとき、前記メモリに記憶した前記情報に対応した第２商品情報コードを前記端末装置のディスプレイに表示する、処理を実行させる、
ことを特徴とする会計処理プログラム。
【発明の詳細な説明】
【技術分野】
【０００１】
本発明は、端末装置、会計処理方法および会計処理プログラム、並びに、会計処理システムに関する。
【背景技術】
【０００２】
従来、例えば、スーパーマーケット等の店舗において、顧客(買い物客)が買い上げる商品の登録および会計(精算)は、ＰＯＳ(Point Of Sales：販売時点情報管理)システムを使用して行われている。すなわち、顧客は、購入する複数の商品を、ショッピングカートや買い物かご等に入れ、購入する全ての商品が揃ったら、例えば、ＰＯＳレジ(レジ)で購入する商品の会計を行う。
【０００３】
ここで、それぞれの商品には、商品情報コード(バーコード：例えば、ＪＡＮ(Japanese Article Number)コード)が印刷され、或いは、バーコードが印刷されたステッカー等が貼着されている。そして、顧客が購入するために買い物かご等に入れた各商品のバーコードは、レジのオペレータ(従業員)によりハンディスキャナ等で順次読み取られ、購入する商品の合計金額が算出されて会計が行われる。さらに、顧客は、会計が済んだ商品が入れられた買い物かご等から、例えば、レジの従業員から受け取ったビニール袋等に移し替えて(袋詰めして)店舗を後にすることになる。
【０００４】
ところで、顧客(利用者)が普段スーパーマーケット等を利用する中で感じている不満は非常に多く、例えば、レジ待ちの長さや袋詰め作業の手間などが挙げられる。特に、レジ待ちの長さは、利用者のストレス増加の大きな原因の一つであり、これは、例えば、利用者が買い物かご等に入れた商品を従業員が１点ずつ取り出してバーコードを読み取るため、或いは、缶やビン等の湾曲面に付されたバーコードを読み取るため、従業員がバーコードの読み取り作業に手間取るといったことに起因している。
【０００５】
このような、スーパーマーケット等の店舗におけるレジ待ちの長さを低減するものとしては、従来、様々な手法が提案されている。
【先行技術文献】
【特許文献】
【０００６】
【特許文献１】特開２００９−２６５７４６号公報
【特許文献２】特開２０１５−０２２３５８号公報
【特許文献３】特開２０１１−１５８９９３号公報
【特許文献４】特開平０７−１５２９６２号公報
【発明の概要】
【発明が解決しようとする課題】
【０００７】
前述したように、スーパーマーケット等の店舗におけるレジ待ちの長さを低減するものとしては、様々な手法が提案されている。具体的に、従来、利用者に商品のバーコードを読み取るハンディターミナルを貸与し、レジ(ＰＯＳレジ)で購入商品の会計を行うときに、ハンディターミナルをレジに設けられた専用のクレードルにセットして行うものが提案されている。
【０００８】
しかしながら、顧客は、買い物中、常に、専用のハンディターミナルを持っていることが求められるため、買い物の快適性を妨げる要因になる。さらに、専用のクレードルが必要なだけでなく、クレードルを介してハンディターミナルの情報を取得することになるため、それまで使用していた既存のＰＯＳレジ(ＰＯＳシステム)をそのまま利用することが困難になる。
【０００９】
また、例えば、それぞれの商品にＩＣタグ(ＲＦＩＤ：Radio Frequency IDentifier)を貼付し、ＩＣタグの情報をショッピングカートに設けたタブレット端末の無線タグリーダーで読み取ることにより、顧客がショッピングカートの買い物かごに商品を入れると、自動的にタブレット端末に商品情報が登録されるものも提案されている。
【００１０】
しかしながら、ＩＣタグは、バーコード(商品情報コード)を利用するよりもコストが増加することになり、さらに、ＩＣタグの情報を読み取るための無線タグリーダーやＰＯＳレジ(ＰＯＳシステム)の入れ替え等も必要になる。このように、従来、提案されている様々な手法は、店舗に設置されている既存のＰＯＳシステムをそのまま利用するものではない。
【００１１】
本発明は、店舗に設置されている既存のＰＯＳシステムを利用しつつ、店舗におけるレジ待ち時間を短縮することができる端末装置、会計処理方法および会計処理プログラム、並びに、会計処理システムの提供を目的とする。
【課題を解決するための手段】
【００１２】
本発明に係る第１実施形態によれば、商品を選択するとき、第１スキャナにより読み取った前記商品に付された第１商品情報コードに対応した情報を記憶するメモリと、前記商品を会計するとき、前記メモリに記憶した前記情報に対応した第２商品情報コードを表示するディスプレイと、を備える端末装置が提供される。
【００１３】
本発明に係る第２実施形態によれば、上記第１実施形態の端末装置を複数備え、さらに、複数の前記端末装置を管理する端末管理サーバを備える会計処理システムであって、前記端末管理サーバは、それぞれの前記端末装置と無線接続されると共に、ネットワーク上のデータベースにアクセス可能とされている会計処理システムが提供される。
【００１４】
本発明に係る第３実施形態によれば、商品を選択するとき、前記商品に付された第１商品情報コードを端末装置の第１スキャナにより読み取り、前記第１スキャナにより読み取った前記第１商品情報コードに対応した情報をメモリに記憶し、前記商品を会計するとき、前記メモリに記憶した前記情報に対応した第２商品情報コードを前記端末装置のディスプレイに表示する会計処理方法が提供される。
【００１５】
本発明に係る第４実施形態によれば、商品に付された第１商品情報コードを読み取る第１スキャナと、前記第１スキャナにより読み取った前記第１商品情報コードに対応した情報を記憶するメモリと、前記メモリに記憶した前記情報に対応した第２商品情報コードを表示するディスプレイと、を備える端末装置の演算処理装置に、商品を選択するとき、前記商品に付された第１商品情報コードを前記端末装置の第１スキャナにより読み取り、前記第１スキャナにより読み取った前記第１商品情報コードに対応した情報をメモリに記憶し、前記商品を会計するとき、前記メモリに記憶した前記情報に対応した第２商品情報コードを前記端末装置のディスプレイに表示する、処理を実行させる会計処理プログラムが提供される。
【発明の効果】
【００１６】
本実施形態に係る端末装置、会計処理方法および会計処理プログラム、並びに、会計処理システムによれば、店舗に設置されている既存のＰＯＳシステムを利用しつつ、店舗におけるレジ待ち時間を短縮することができるという効果を奏する。
【図面の簡単な説明】
【００１７】
【図１】図１は、本発明に係る会計処理システムの第１実施例の全体構成を模式的に示すブロック図である。
【図２】図２は、本発明に係る会計処理システムの第２実施例の全体構成を模式的に示すブロック図である。
【図３】図３は、本発明に係る端末装置の一実施例の構成を示すブロック図である。
【図４】図４は、本発明に係る端末装置の一実施例を適用した会計処理の全体的な流れを説明するための図である。
【図５】図５は、本発明に係る端末装置の他の実施例を適用したショッピングカートを説明するための図である。
【図６】図６は、本発明に係る端末装置の他の実施例を使用して買い物および会計処理を行う様子を説明するための図である。
【図７】図７は、ＰＯＳレジで会計処理を行うときにおける端末装置の表示画面の変形例を説明するための図(その１)である。
【図８】図８は、ＰＯＳレジで会計処理を行うときにおける端末装置の表示画面の変形例を説明するための図(その２)である。
【図９】図９は、本発明に係る会計処理プログラムの一実施例における処理を説明するためのフローチャートである。
【図１０】図１０は、本実施例の会計処理システムにおける端末管理サーバに格納されるデータの例を説明するための図である。
【発明を実施するための形態】
【００１８】
以下、本発明に係る端末装置、会計処理方法および会計処理プログラム、並びに、会計処理システムの実施例を、添付図面を参照して詳述する。図１は、本発明に係る会計処理システムの第１実施例の全体構成を模式的に示すブロック図である。図１において、参照符号１は端末装置、２は端末管理サーバ、３はインターネット(ネットワーク)、４は既存のＰＯＳシステム(ＰＯＳレジ)、そして、３００はＰＯＳレジのスキャナを示す。
【００１９】
図１に示されるように、第１実施例の会計処理システムは、既存のＰＯＳシステム(ＰＯＳレジ)４をそのまま利用するもので、例えば、ＰＯＳレジ(レジ)４のオペレータ(従業員，スタッフ)がスキャナ(ハンディスキャナ，バーコードリーダ：第２スキャナ)３００を使用して行う会計処理は、実質的に同様のものである。ここで、後に詳述するように、ＰＯＳレジ４のオペレータ(ＰＯＰ)は、ショッピングカート(ＳＣ)や買い物かごから商品(Ｐ０)を取り出し、その商品に付されている商品情報コード(Ｃ０)を探してスキャナ３００で読み取るといった手間のかかる作業をしなくてもよいことになる。
【００２０】
すなわち、第１実施例の会計処理システムは、既存のＰＯＳシステム４をそのまま利用するもので、新たに、複数の端末装置１を追加することにより構成される。ここで、端末装置１は、後述するように、例えば、ショッピングカート(ＳＣ)に対して、着脱自在に、或いは、回転可能として設けられ、スーパーマーケット等の店舗に来る顧客(買い物客)が使用するショッピングカートと共に買い物に供される。
【００２１】
それぞれの端末装置１は、例えば、ＳＩＭカード(Subscriber Identity Module Card)が挿入可能とされＬＴＥ−Ａｄｖａｎｃｅｄ等の移動通信システム、或いは、無線ＬＡＮ(例えば、ＷｉＦｉ（登録商標）)や近距離無線通信(例えば、ブルートゥース（登録商標）)等の無線通信手段を介してインターネット３に接続されるようになっている。なお、インターネット３には端末管理サーバ２が接続され、この端末管理サーバ２により、インターネット３および無線通信手段を介してそれぞれの端末装置１を管理するようになっている。
【００２２】
図２は、本発明に係る会計処理システムの第２実施例の全体構成を模式的に示すブロック図である。図２と、上述した図１の比較から明らかなように、第２実施例の会計処理システムは、既存のＰＯＳシステム４をそのまま利用するのは第１実施例と同様であるが、例えば、端末管理サーバ２は、スーパーマーケット等の各店舗に対して、複数の端末装置１と共に設けるようになっている。
【００２３】
ここで、それぞれの端末装置１は、例えば、無線ＬＡＮ等の無線通信手段を介して端末管理サーバ２に接続され、さらに、端末管理サーバ２は、有線または無線ＬＡＮ等を介してインターネット３に接続される。
【００２４】
図３は、本発明に係る端末装置の一実施例の構成を示すブロック図である。図３に示されるように、端末装置１は、例えば、タブレット端末を適用することができ、プロセッサ(演算処理装置)１１、ＲＡＭ(Random Access Memory)１２、ＲＯＭ(Read Only Memory)１３、グラフィック処理部１４、入力インタフェース１５、ネットワークインタフェース１６、商品情報コード読み取りインタフェース１７およびバス１８を含む。ここで、商品情報コードとしては、例えば、どの事業者のどの商品かを表すＪＡＮ(Japanese Article Number)コードを始めとする一次元コード(バーコード)、カラー印刷を用いた自動認識コード、或いは、二次元コードといった様々なコードを適用することができる。
【００２５】
プロセッサ１１は、バス１８を介して各構成部分を制御すると共に、データの処理を行う。ＲＡＭ１２は、例えば、スキャナ(第１スキャナ１００，２００)により読み取った商品情報コード(第１商品情報コード)を、顧客ＩＤ，個数，スキャン時刻，スキャン順番等と共に記憶する。なお、ＲＡＭ１２に記憶するデータ(情報)は、端末装置１のスキャナで読み取った商品情報コードそのものに限定されず、例えば、その商品情報コード(第１商品情報コード)に対応した情報(例えば、数値や他のコード)であればよい。ＲＯＭ１３は、例えば、プロセッサ１１が実行する会計処理プログラムを記憶し、或いは、販売促進用のデータ等を記憶する。なお、ＲＯＭ１３は、例えば、フラッシュＥＥＰＲＯＭ等の書き換え可能な不揮発性メモリを適用することができるのはいうまでもない。
【００２６】
グラフィック処理部１４は、ディスプレイ(１０)を制御するもので、顧客が購入する商品を選択するとき、スキャナ(第１スキャナ１００，２００)により読み取った、商品に付された第１商品情報コードに対応した情報に関連付けされている関連情報、例えば、商品に関する画像、商品に関する動画、商品に関するコメントおよび商品に関する広告等の表示を制御する。なお、これら商品に付された第１商品情報コードに対応した情報に関連付けされている関連情報は、例えば、ネットワーク(インターネット)上のデータベースから入手してもよい。なお、図２を参照して説明した第２実施例の会計処理システムでは、例えば、各店舗に設けた端末管理サーバ２に対して、それぞれの商品に付された第１商品情報コードに対応した情報に関連付けされている関連情報を蓄積した関連情報蓄積データベースを設ける、すなわち、予めデータを格納することも可能である。
【００２７】
また、グラフィック処理部１４は、例えば、既存のＰＯＳレジ４により購入する商品を会計するとき、例えば、ＲＡＭ(メモリ)１２に記憶した商品情報コードに対応した情報(数値等)を、その既存のＰＯＳレジ４のスキャナ(第２スキャナ３００，４００)により読み取り可能な商品情報コード(第２商品情報コード)として端末装置１のディスプレイ(１０)に表示する。
【００２８】
ここで、ＰＯＳレジのスキャナ(第２スキャナ)により読み取られる第２商品情報コードは、端末装置１のスキャナ(第１スキャナ)により読み取られる商品に付された第１商品情報コードと同一の規格であってもよいが、異なる規格であってもよい。例えば、第１商品情報コードはＪＡＮコードで、第２商品情報コードはＪＡＮコードや、二次元コードであってもよい。なお、購入する商品を会計するときに端末装置１のディスプレイ１０に表示される内容は、後に、図面を参照して例示するが、例えば、整然と規則的に表示し、或いは、商品の数や種類の表示位置や背景色等を工夫して様々な表示が可能である。
【００２９】
一般的な会計処理において、ＰＯＳレジ４のオペレータＰＯＰは、例えば、買い物かごやショッピングカートから商品を１点ずつ取り出して商品情報コードをスキャナで読みとるために時間を要し、その結果、顧客(ＳＰ)は、長時間のレジ待ちを強いられることになっていた。これに対して、本実施例の端末装置１によれば、顧客ＳＰによって、予め商品に印刷された商品情報コード(第１商品情報コード)が読み取られており、ＰＯＳレジ４のオペレータＰＯＰは、端末装置(例えば、タブレット端末)１のディスプレイ(平面の表示画面)１０に表示された商品情報コード(第２商品情報コード)を、ＰＯＳレジ４のハンディスキャナ(第２スキャナ)で読み取るだけの作業を行えばよいため、極めて短時間で会計処理を行うことが可能になる。
【００３０】
さらに、本実施例の端末装置１によれば、スキャナで読み取った第１商品情報コードに対応した情報に関連付けされている関連情報を端末装置１のディスプレイ１０に表示することにより、顧客ＳＰの買い物への利便性の向上も可能になる。しかも、顧客ＳＰが、多少、商品情報コードの読み取りに時間を要したとしても、買い物を楽しんでいる状況下であるため、一般的な会計処理で会計処理のためだけに待たされるときの待ち時間に比べて心理的不満が低減される。
【００３１】
すなわち、本実施例の端末装置を適用することにより、店舗に設置されている既存のＰＯＳシステム(ＰＯＳレジ)を利用しつつ、店舗におけるレジ待ち時間を大幅に短縮することが可能になる。さらに、顧客が購入する商品を選択するときには、スキャナで読み取った第１商品情報コードに対応した情報に関連付けされている関連情報を端末装置のディスプレイに表示することにより、顧客の利便性を向上させると共に、商品の売り上げ増にも貢献することができる。
【００３２】
図４は、本発明に係る端末装置の一実施例を適用した会計処理の全体的な流れを説明するための図である。ここで、図４(a)は、顧客(買い物客)ＳＰが店舗(スーパーマーケット等)に行って買い物を始めるときの様子を示し、図４(b)は、顧客ＳＰが購入する商品Ｐ０を選択しているときの様子を示す。さらに、図４(c)は、顧客ＳＰが既存のＰＯＳレジ(ＰＯＳシステム)４により会計を行うときの様子を示し、図４(d)は、図４(c)の会計処理の様子を、既存のＰＯＳレジ４による現状の会計処理の様子と比較して示す。
【００３３】
まず、図４(a)に示されるように、顧客ＳＰは、買い物をするために店舗に行くと、例えば、端末装置(タブレット端末)１が着脱可能として取り付けられたショッピングカートＳＣの所定位置に、顧客ＳＰが自身のショッピングバッグＵＢを装着する。ここで、参照符号１００は、端末装置１に設けられた内蔵スキャナ(第１スキャナ)を示す。
【００３４】
次に、図４(b)に示されるように、購入する商品を選択するとき、すなわち、顧客ＳＰが商品Ｐ０の購入を決めたとき、顧客ＳＰは、例えば、売り場に置かれている商品Ｐ０をショッピングバッグＵＢに入れる前に、商品Ｐ０に付された商品情報コード(第１商品情報コード)Ｃ０を、端末装置１に内蔵されたスキャナ１００により読み取る。なお、図３を参照して説明したように、スキャナ１００で読み取った商品Ｐ０の商品情報コードＣ０に対応した情報(数値等)は、例えば、ＲＡＭ１２に記憶される。また、商品情報コードＣ０のスキャンを行った商品Ｐ０は、顧客ＳＰがショッピングバッグＵＢに入れ、同様の処理を繰り返すことで、購入する商品の選択(買い物)を続けることになる。
【００３５】
図４(c)に示されるように、購入する商品を会計するとき、顧客ＳＰは、例えば、端末装置１をショッピングカートＳＣから取り外して、ＰＯＳレジ４のオペレータＰＯＰに渡す。ここで、端末装置１のディスプレイ１０には、例えば、メモリ(ＲＡＭ)１２に記憶した複数の各商品情報コード(第１商品情報コード)に対応した情報に対応した複数の各商品情報コード(第２商品情報コード)が表示される。なお、端末装置１のスキャナ１００(２００：第１スキャナにより第１商品情報コードを読み取る商品選択モードと、メモリ１２に記憶した商品情報コードに対応した情報に対応した第２商品情報コードをディスプレイ１０に表示する会計モードを、例えば、ディスプレイ１０に表示するタッチスイッチ(スイッチ手段）により切り替えるようにしてもよい。
【００３６】
ＰＯＳレジ４のオペレータＰＯＰは、ＰＯＳレジ４に設けられた内蔵スキャナ(第２スキャナ)４００またはＵＳＢ(Universal Serial Bus)端子等を介して外部に設けられたハンディスキャナ(第２スキャナ)３００により、端末装置１のディスプレイ１０に表示された複数の商品情報コードを順に読み取って会計処理を行う。ここで、端末装置１のディスプレイ１０に表示されるそれぞれの商品情報コード(第２商品情報コード)は、例えば、商品(Ｐ０)に印刷またはステッカーにより貼着されている商品情報コード(第１商品情報コード)Ｃ０と同じの規格の商品情報コード(例えば、ＪＡＮコード)であり、店舗に設けられている既存のＰＯＳレジ(ＰＯＳシステム)４をそのまま使用して、会計処理を行うことができる。
【００３７】
なお、端末装置１のディスプレイ１０に表示される第２商品情報コードは、第１商品情報コードと同一の規格でも異なる規格でもよい。また、端末装置１のディスプレイ１０に表示される商品情報コードの数が多い場合には、例えば、１つの頁に所定の数(種類)だけ表示し、オペレータＰＯＰの操作により頁を順番にめくることで、全ての商品の商品情報コード(第２商品情報コード)等を表示するようにしてもよい。或いは、例えば、商品情報コードを所定時間ごとに移動または切り替え、もしくは、スクロールすることにより、端末装置１のディスプレイ１０に全ての商品の商品情報コードを表示することもできる。
【００３８】
すなわち、図４(d)の参照符号ＡＡＡで示されるように、購入する商品の一般的な(従前の)会計処理において、ＰＯＳレジ４のオペレータＰＯＰは、例えば、買い物かごやショッピングカートから商品を１点ずつ取り出して商品情報コードをスキャナ(３００，４００)で読み取るために時間を要し、さらに、汚れや破損が有る商品情報コード、或いは、読み取り難い形状の商品に付された商品情報コードをスキャナで読み取るには、より一層の時間および手間を要することになり、顧客ＳＰに長時間のレジ待ちを強いるだけでなく、ＰＯＳレジ４のオペレータＰＯＰの負担を増加させることにもなっていた。
【００３９】
これに対して、図４(d)の参照符号ＢＢＢで示されるように、本発明に係る端末装置の一実施例を適用した会計処理において、ＰＯＳレジ４のオペレータＰＯＰは、新たな機器を追加することなく、それまでと同様の手順で会計処理を行うことができる。さらに、オペレータＰＯＰがスキャナで読み取るのに時間や手間を要した商品情報コード(例えば、汚れや破損が有る商品情報コード、或いは、読み取り難い形状の商品に付された商品情報コード等)であっても、簡単な読み取り作業でよいことになる。すなわち、スキャナで読み取るのに時間や手間を要する商品情報コードであっても、端末装置１のディスプレイ１０には、ＰＯＳレジ４のスキャナ(３００，４００)で読み取り易いように商品情報コードが表示されるため、オペレータＰＯＰが行う会計処理に要する時間を大幅に短縮することが可能になる。これは、ＰＯＳレジ４のオペレータＰＯＰの負担を低減させることにもつながる。そして、顧客ＳＰは、例えば、購入した商品が入った自身のショッピングバッグＵＢを、ショッピングカートＳＣから外して店舗を後にすることになる。
【００４０】
図５は、本発明に係る端末装置の他の実施例を適用したショッピングカートを説明するための図である。図５と、前述した図４(a)および図４(b)の比較から明らかなように、本実施例の端末装置１は、スキャナを内蔵するのではなく、例えば、端末装置１のＵＳＢ端子等を介して外部に設けられたハンディスキャナ２００を適用するようにしたものである。ここで、端末装置１は、回転可能としてショッピングカートＳＣの上方部に設けられ、端末装置１のディスプレイを、購入する商品を選択するときは、顧客ＳＰが見やすいショッピングカートＳＣの後方を向くようにし、購入する商品を会計するときは、ＰＯＳレジ４のオペレータＰＯＰが見やすい横方向(オペレータＰＯＰの方向)を向くようにする。
【００４１】
このように、端末装置１により商品に付された商品情報コードを読み取るスキャナ(第１スキャナ)は、前述したように、端末装置１に設けた内蔵スキャナ１００でもよいが、本実施例のように、外部に設けたハンディスキャナ２００であってもよい。
【００４２】
さらに、図５に示すショッピングカートＳＣでは、図４を参照して説明したように、顧客ＳＰが自身のショッピングバッグＵＢをショッピングカートＳＣの所定位置に装着するのではなく、ショッピングカートＳＣの上部および下部にそれぞれ買い物かごＳＧを設けるようになっている。この場合、会計処理が済んだ買い物かごＳＧの中の商品は、例えば、顧客ＳＰが自身のショッピングバッグＵＢやビニール袋等に移し替えることになる。なお、本発明に係る端末装置１の適用は、スーパーマーケットで使用されるショッピングカートＳＣに限定されるものではなく、コンビニエンスストアを始めＰＯＳレジ(ＰＯＳシステム)４を使用する様々な店舗に幅広く適用することができる。また、端末装置１は、タブレット端末に限定されるものではなく、ノートパソコンやスマートフォン等であってもよい。
【００４３】
図６は、本発明に係る端末装置の他の実施例を使用して買い物および会計処理を行う様子を説明するための図であり、端末装置のディスプレイに表示される表示画面の例を示す。ここで、図６(a)は、購入する商品を選択するときの表示画面の一例を示し、図６(b)は、購入する商品の選択が終了したときの表示画面の一例を示し、そして、図６(c)は、購入する商品を会計するときの表示画面の一例を示す。
【００４４】
まず、顧客ＳＰが購入する商品Ｐ０を選択するとき、すなわち、商品選択モードにおいて、顧客ＳＰは、売り場に置かれている商品Ｐ０をショッピングバッグＵＢや買い物かごＳＧに入れる前に、商品Ｐ０の商品情報コードＣ０を、端末装置１に内蔵されたスキャナ１００またはハンディスキャナ２００により読み取る。このとき、端末装置１のディスプレイ１０には、図６(a)のような画面が表示される。
【００４５】
すなわち、図６(a)に示されるように、顧客(ＳＰ)が購入を決めた商品Ｐ０に付された商品情報コードＣ０をスキャナ１００で読み取ると、ディスプレイ１０には、商品Ｐ０の画像１０１、商品Ｐ０の商品情報１０２、商品Ｐ０に対する一般消費者の口コミ１０３、並びに、商品Ｐ０を購入する個数指定部分１０４、並びに、確認ボタン１０５等が表示される。なお、商品Ｐ０の画像１０１または口コミ１０３を表示する領域に、購入する商品Ｐ０に関連する商品の情報や広告といった他の様々な情報を表示することも可能である。
【００４６】
ここで、スキャナ１００で読み取った商品Ｐ０の購入を止める場合、例えば、個数指定部分１０４における個数削減ボタン１０４ｃをタッチして個数表示１０４ａを『０』にして、商品Ｐ０を売り場の所定位置に戻すことになる。また、専用の購入キャンセルボタンを設けてもよいのはいうまでもない。また、個数指定部分１０４における個数増加ボタン１０４ｂは、タッチするごとに購入する個数を増加させるもので、例えば、商品Ｐ０を５個まとめて購入する場合、１つの商品Ｐ０の商品情報コードを１度スキャンした後、個数増加ボタン１０４ｂを４回タッチすればよい。
【００４７】
なお、端末装置１のディスプレイ１０に表示する表示画面は、様々な変更および変形が可能であり、さらに、端末装置１に内蔵されたスキャナ１００は、例えば、端末装置１のＵＳＢ端子を介して外部に設けられたハンディスキャナ２００としてもよいのは、前述した通りである。
【００４８】
次に、図６(b)に示されるように、上述した購入する商品の選択を続け、購入する商品の選択が終了したとき(必要な商品が揃って買い物を終えるとき)、顧客ＳＰは、後述する端末装置１のディスプレイ１０に表示された会計ボタン１０８をタッチし、ショッピングカートＳＣと共にＰＯＳレジ４の場所へ移動して会計処理を行う。
【００４９】
すなわち、購入する商品の選択を続けているとき(商品選択モード)、端末装置１のディスプレイ１０には、カート内(例えば、顧客ＳＰのショッピングバッグＵＢや買い物かごＳＧ内)に入れられた商品の一覧１０６、販売促進用の表示(販促コンテンツ)１０７、並びに、購入する商品の選択が終了して会計処理を行うための会計ボタン１０８が表示されており、顧客ＳＰが会計ボタン１０８をタッチすると、例えば、ディスプレイ１０には、スタッフ(ＰＯＳレジ４のオペレータＰＯＰ)に端末(端末装置１)を渡すように促す表示１０９が現出し、顧客ＳＰは、端末装置１をショッピングカートＳＣから取り外してＰＯＳレジ４のオペレータ(ＰＯＰ)に渡す。
【００５０】
ＰＯＳレジ４のオペレータＰＯＰは、顧客ＳＰから端末装置１を受け取り、例えば、ディスプレイ１０の表示１０９におけるＯＫスイッチ(スイッチ手段)１０９ａをタッチして、端末装置１のディスプレイ１０における表示を、商品選択モードから会計モードに切り替える。これにより、端末装置１のディスプレイ１０は、例えば、図６(c)のような表示に切り替わる。そして、ＰＯＳレジ４のオペレータＰＯＰは、例えば、ＰＯＳレジ４のハンディスキャナ３００により、顧客ＳＰから受け取った端末装置１に表示される商品情報１１１〜１１４における商品情報コード(第２商品情報コード)ＣＺを読み取ると共に、商品情報１１１〜１１４における商品の個数をＰＯＳレジ４に入力して会計処理を行う。
【００５１】
なお、繰り返しになるが、端末装置１のディスプレイ１０に表示される第２商品情報コードＣＺは、第１商品情報コードＣＯと同一の規格でもよいが異なる規格でもよい。また、端末装置１は、ショッピングカートＳＣに着脱自在に設けられていて、会計処理を行うときに、ショッピングカートＳＣから取り外してＰＯＳレジ４のオペレータＰＯＰに渡すように構成しなくてもよい。すなわち、図５を参照して説明したように、端末装置１をショッピングカートＳＣの上方部に回転可能として設け、会計処理を行うときには、端末装置１のディスプレイ１０をＰＯＳレジ４のオペレータＰＯＰが見やすい方向に回転させるように構成してもよい。
【００５２】
図７および図８は、ＰＯＳレジで会計処理を行うときにおける端末装置の表示画面の変形例を説明するための図である。図７(a)は、上述した図６(c)に対応するものであるが、所定時間ごとに移動または切り替えてディスプレイ１０に表示するものである。具体的に、図７(a)では、端末装置１のディスプレイ１０に、商品の名称，個数および商品情報コードを含む４つの商品情報が表示されているが、例えば、０．５秒ごとに１行分(１つの商品情報)だけ上方へ移動させて表示し、或いは、２秒ごとに４つの商品情報(ディスプレイ１０の１画面分の商品情報)を切り替えて表示し、ＰＯＳレジ４のオペレータＰＯＰは、ハンディスキャナ３００により商品情報コードを読み取って個数の入力を行うだけでよいようになっている。なお、ディスプレイ１０に表示する商品情報コードを１つとし、所定時間ごとに切り替えて表示してもよい。或いは、図７(a)に示す端末装置１のディスプレイ１０の表示画像を連続に、例えば、下方から上方に向けてスクロールさせて表示することも可能である。また、同じ商品を複数選択(個購入)する場合、その複数の個数分同じ商品情報コードを表示するようにしてもよい。すなわち、端末装置１のディスプレイ１０に表示する画面は、様々な変更および変形が可能である。
【００５３】
図７(b)は、図７(a)の表示画面に対して、より多くの商品の商品情報(第２商品情報コード)を表示するものである。なお、図７(a)(図６(c))では、ディスプレイ１０に対して１列で４個の商品の商品情報を同時に表示し、また、図７(b)では、２列で１０個の商品の商品情報を同時に表示しているが、これは、端末装置１のディスプレイ１０のサイズ等に応じて適宜変更することができる。
【００５４】
図８(a)〜図８(c)は、１つの実施例により表示される異なる頁の表示画像の例を示すもので、例えば、ある顧客ＳＰの会計が、端末装置１のディスプレイ１０における７頁分の表示画面で処理されるときの例を示すものである。図８(a)に示されるように、第１頁(１／７)では、５種類の商品の商品名，個数および商品情報コードが表示され、次の第２頁(２／７)でも、５種類の商品の商品名，個数および商品情報コードが表示されるようになっている。
【００５５】
ここで、各頁のそれぞれの商品情報(各頁のそれぞれの行)において、商品名は中央に表示され、商品情報コードは、ディスプレイ１０の隣接する行でずらした位置に、具体的に、ディスプレイ１０の複数の行で千鳥状に表示され、そして、商品の個数は商品情報コードの左側に表示されている。また、図８(a)および図８(b)に示されるように、例えば、各頁の表示画面の下方左側に、それまでの頁に表示された商品の種類を表示してもよい。さらに、表示するそれぞれの頁の表示色を異なるように変化させ(例えば、第１頁の表示色１２１は薄茶色，第２頁の表示色１２２は薄い黄土色，…，最終頁の表示色１２７はピンク色とし)てもよい。
【００５６】
これは、ハンディスキャナ３００を使用したＰＯＳレジ４のオペレータＰＯＰによる商品情報コードの読み取り作業を考慮して、すなわち、オペレータＰＯＰによる商品情報コードの誤った読み取りや負担を低減すると共に、作業効率を向上させるためのものである。なお、図８(c)に示されるように、最終頁(７／７)には、顧客ＳＰが購入する全ての商品の種類(２５種類)および商品点数(５９点)が表示されるようになっている。
【００５７】
上述した実施例では、例えば、顧客ＳＰによる不正(例えば、端末装置１のスキャナ１００，２００による商品情報コードＣ０の読み取りを行うことなく商品Ｐ０をショッピングバッグＵＢに入れる)はないものとしている。しかしながら、このような不正の発生を低減するために、例えば、購入する商品を会計するとき、端末装置１のディスプレイ１０に表示する商品情報コード(商品情報)を価格順に表示し、ＰＯＳレジ４のオペレータＰＯＰに確認させる処理を追加し、或いは、顧客ＳＰが購入する商品を選択するとき、または、端末装置１のディスプレイ１０の初期画面に、店内には複数の監視カメラが設置されている等の不正防止の表示を行うことも可能である。
【００５８】
このように、本実施例によれば、店舗に設置されている既存のＰＯＳシステムを利用しつつ、店舗におけるレジ待ち時間を短縮することができる。なお、本実施例の会計処理プログラムは、例えば、タブレット端末等の端末装置１により実行される。そして、端末装置１のディスプレイ１０に表示された購入する商品の商品情報コードＣＺ(Ｃ０)は、例えば、既存のＰＯＳシステム(ＰＯＳレジ)４のハンディスキャナ３００により読み取って購入する商品の会計が行われることになる。
【００５９】
図９は、本発明に係る会計処理プログラムの一実施例における処理を説明するためのフローチャートである。図９に示されるように、本実施例の会計処理プログラムが開始すると、ステップＳＴ１において、商品Ｐ０に付された商品情報コードＣ０を、端末装置１のスキャナ(第１スキャナ)１００，２００で読み取り、ステップＳＴ２に進む。ステップＳＴ２では、端末装置１のスキャナ１００，２００で読み取られた商品情報コードＣ０に対応する商品Ｐ０の情報(商品情報)をＲＡＭ１２に登録(記憶)し、ステップＳＴ３に進む。
【００６０】
ここで、商品情報コードＣ０に対応する商品Ｐ０の商品情報は、端末装置１のネットワークインタフェース１６による無線通信手段を介してインターネット３上のサーバ、或いは、店舗に設置された端末管理サーバ２から取得する。ここで、商品情報としては、どの事業者のどの商品かを表す商品情報コードＣ０だけでなく、例えば、商品Ｐ０の価格情報を含んでもよい。また、前述したように、会計処理を行う場合、端末装置１のディスプレイ１０に表示する商品情報コードを価格順に表示してもよい。さらに、端末装置１のディスプレイ１０に表示される第２商品情報コードは、第１商品情報コードと同一の規格でも異なる規格でもよい。
【００６１】
なお、商品Ｐ０の価格情報は、例えば、顧客の不正を防止するためだけであれば、店舗で販売される実際の価格である必要はなく、例えば、商品Ｐ０の標準小売価格等でもよい。さらに、前述したように、ステップＳＴ１で商品Ｐ０に付された商品情報コードＣ０を読み取った後、商品Ｐ０の画像１０１や口コミ１０３、或いは、商品Ｐ０に関連する商品の広告等を、端末装置１のディスプレイ１０に表示することも可能である。
【００６２】
次に、ステップＳＴ３では、購入する全ての商品が揃ったかどうか(購入する商品の選択が終了して買い物を終えるかどうか)を判定し、購入する全ての商品が揃ったと判定すると、ステップＳＴ４に進む。このステップＳＴ３における購入する全ての商品が揃った(ＹＥＳ)の判定に基いて、端末装置１のディスプレイ１０における表示が、商品選択モードから会計モードに切り替わる。なお、ステップＳＴ３において、購入する全ての商品が揃っていない(ＮＯ)と判定すると、商品選択モードが継続し、ステップＳＴ１に戻って、購入する全ての商品が揃った(ＹＥＳ)と判定するまで、同様の処理を繰り返す。
【００６３】
例えば、顧客ＳＰが前述した図６(b)の表示画面における会計ボタン１０８をタッチして端末装置１をＰＯＳレジ４のオペレータＰＯＰに渡し、ＰＯＳレジ４のオペレータＰＯＰが端末装置１のディスプレイ１０における表示１０９のＯＫスイッチ１０９ａをタッチすることにより、商品選択モードから会計モードに切り替わる。
【００６４】
そして、ステップＳＴ４では、端末装置１のディスプレイ１０に商品情報コードが表示される。すなわち、前述した図６(c)，図７(a)，図７(b)，図８(a)〜図８(c)に示されるような画面が、端末装置１のディスプレイ１０に表示される。このとき、端末装置１(ショッピングカートＳＣ)は、顧客ＳＰによりＰＯＳレジ４の位置まで搬送されていて、そのＰＯＳレジ４の位置でオペレータＰＯＰに端末装置１を渡すか、或いは、端末装置１をオペレータＰＯＰの方に向ける等により、ＰＯＳレジ４のオペレータＰＯＰによる会計処理が行われる。なお、端末装置１(端末装置１のプロセッサ１１)で実行される本実施例の会計処理プログラムは、例えば、販売促進用や不正防止の表示等を行うために、或いは、図６，図７および図８に示されるような様々な画面を表示するために、様々な変更および変形を行うことができるのはいうまでもない。
【００６５】
図１０は、本実施例の会計処理システムにおける端末管理サーバに格納されるデータの例を説明するための図であり、図１０(a)は、商品情報マスタテーブルの一例を示し、図１０(b)は、顧客選択商品情報テーブルの一例を示し、そして、図１０(c)は、買い物の開始時刻および終了時刻のテーブルの一例を示す。本実施例の会計処理システムは、複数の端末装置１を備え、例えば、インターネット３上の端末管理サーバまたは店舗に設置された端末管理サーバとの間で様々なデータを交換する。すなわち、端末管理サーバ２は、例えば、図１０(a)，図１０(b)および図１０(c)に示されるようなデータを保持している。
【００６６】
すなわち、図１０(a)に示されるように、商品情報マスタテーブルは、例えば、スーパーマーケット等の店舗で扱われる複数の商品に関する商品名「商品Ａ」〜「商品Ｈ」、商品情報コード「１１１１１１」〜「１１１１１８」、商品単価「１０００」…、商品情報［ＡＡＡＡ」…を含む。
【００６７】
ここで、顧客ＳＰが操作する端末装置１のスキャナ２００により、購入する商品の商品情報コード(例えば、「１１１１１１」)が読み取られると、その商品情報コードは無線通信手段を介して端末管理サーバ２に伝えられ、商品情報コードに対応した商品名(例えば、「商品Ａ」)、商品単価(例えば、「１０００」)および商品情報(例えば、「ＡＡＡＡ」)が無線通信手段を介して端末装置１に戻される。なお、端末管理サーバ２は、店舗で取り扱う全ての商品の商品情報コードを保持しなくてもよく、例えば、端末管理サーバ２に格納されていない商品情報コードが送られてきたら、インターネット３上の他のサーバに保持されたデータを利用するように構成することもでき、様々な変形および変更が可能である。
【００６８】
このようにして、顧客ＳＰの買い物が進むと、例えば、図１０(b)に示されるように、複数の顧客(例えば、顧客ＩＤが「ＡＢＣ」，「ＥＦＧ」および「ＨＩＮ」の３名)に関して、買い物(購入する商品の選択)を行うためにスキャンした商品情報コード(商品)，スキャンした時刻およびスキャン順番といった購入する商品に関する情報を収集して蓄積すると共に、一度選択(スキャン)して商品情報コードを登録したが、その後、削除して購入しなかったかご落ち商品に関する情報も収集して蓄積する。ここで、かご落ち商品は、例えば、削除フラグを「１」として、そのかご落ち商品の種類だけでなく、かご落ちとした(顧客ＳＰが購入を止めた)時刻等の情報も収集して端末管理サーバ２に蓄積するようになっている。
【００６９】
ここで、かご落ち商品とは、一度購入しようと選択(スキャン)した商品を、購入を止めて元の位置に戻した商品であり、このような選択した商品を削除して購入しないかご落ち商品の情報は、様々な意味で重要である。すなわち、本実施例によれば、かご落ち商品に関する様々な情報を収集することができる。なお、顧客ＩＤは、例えば、図４(a)を参照して説明した買い物を始めるときに、例えば、顧客に対する店舗のサービスカードのＩＤ等を顧客自身で端末装置１に入力(例えば、サービスカードのコードをスキャナで読み取る)等の作業を行ってもらえばよい。
【００７０】
さらに、図１０(c)に示されるような、複数の顧客による買い物の開始時刻および終了時刻といったデータも収集することができる。これら端末管理サーバ２に格納(収集)されるデータは、単なる例であり、前述した選択した(スキャンした)商品に関する動画やコメント、並びに、広告や販促用の表示を行うための様々なデータが含まれてもよい。
【００７１】
以上、実施形態を説明したが、ここに記載した全ての例や条件は、発明および技術に適用する発明の概念の理解を助ける目的で記載されたものであり、特に記載された例や条件は発明の範囲を制限することを意図するものではない。また、明細書のそのような記載は、発明の利点および欠点を示すものでもない。発明の実施形態を詳細に記載したが、各種の変更、置き換え、変形が発明の精神および範囲を逸脱することなく行えることが理解されるべきである。
【符号の説明】
【００７２】
１    端末装置(タブレット端末)
２    端末管理サーバ
３    インターネット(ネットワーク)
４    既存のＰＯＳシステム(ＰＯＳレジ)
１０    ディスプレイ
１１    プロセッサ(演算処理装置)
１２    ＲＡＭ
１３    ＲＯＭ
１４    グラフィック処理部
１５    入力インタフェース
１６    ネットワークインタフェース
１７    商品情報コード読み取りインタフェース
１８    バス
１００    端末装置の内蔵スキャナ(第１スキャナ)
２００    端末装置のハンディスキャナ(第１スキャナ)
３００    ＰＯＳレジのハンディスキャナ(第２スキャナ)
４００    ＰＯＳレジの内蔵スキャナ(第２スキャナ)
Ｃ０    商品情報コード
Ｐ０    商品
ＰＯＰ    ＰＯＳレジのオペレータ(従業員，スタッフ)
ＳＣ    ショッピングカート
ＳＧ    買い物かご
ＳＰ    顧客(買い物客)
ＵＢ    顧客自身のショッピングバッグ
【図１】
2020184141.tif 000003
【図２】
2020184141.tif 000004
【図３】
2020184141.tif 000005
【図４】
2020184141.tif 000006
【図５】
2020184141.tif 000007
【図６】
2020184141.tif 000008
【図７】
2020184141.tif 000009
【図８】
2020184141.tif 000010
【図９】
2020184141.tif 000011
【図１０】
2020184141.tif 000012